(57)【特許請求の範囲】
【請求項１】
室の空気調節のための空気調節機構を収容する本体ケースと、前記室の一部を構成する壁部に設けられた壁部開口を取り囲むように前記壁部に面当接可能な平坦面を有し前記本体ケースの外方へ向けて突出するフランジとを備え、
前記フランジを前記平坦面に直交する方向で見て該平坦面が位置する側を取付方向前側とし、
前記フランジには、該フランジを含む前記本体ケースと同一材料で形成され、前記フランジの周縁部から前記平坦面と傾斜を為すように前記取付方向前側へ向けて立ち上がり、先端が前記平坦面よりも前記取付方向前側に位置しかつ立ち上がり基部が前記平坦面よりも取付方向後側に位置し、前記フランジの前記周縁部を連続的に取り囲む弾性変形が可能な封止周壁部分が一体的に設けられていることを特徴とする空調装置。
【請求項２】
前記封止周壁部分の先端は、前記取付方向で見て、後側に曲率中心を有する弧状であることを特徴とする請求項１に記載の空調装置。
【請求項３】
前記本体ケースは、前記平坦面が前記壁部に面当接された状態で前記フランジが前記壁部に取り付けられて該壁部に設けられ、
前記封止周壁部分は、前記平坦面が前記壁部に面当接されることに伴って、該壁部に当接しつつ該壁部に倣って弾性変形することを特徴とする請求項１または請求項２に記載の空調装置。
【請求項４】
請求項１ないし請求項３のいずれか１項に記載の空調装置を備えたことを特徴とする建物。
【発明の詳細な説明】
【技術分野】
【０００１】
本発明は、換気、暖房、乾燥等の室内の空気調節を行うことができる空調装置およびこの空調装置を備えた建物に関し、特に浴室およびサニタリー空間等の室に用いるのに好適な空調装置およびこの空調装置を備えた建物に関する。
【背景技術】
【０００２】
建物では、その内方に形成された室、例えば浴室の空気の循環および浴室の換気等の空気調節を行う空気調節機構を備えた空調装置が浴室の天井部に設けられているものがある。この空調装置は、浴室の利用者の妨げとならないように、空気調節機構を収容する本体ケースが浴室の天井部の上方の空間すなわち天井裏空間に設置され、天井部には、空気調節機構が浴室の空気を取り込むことができるように本体ケースの設置位置に応じて天井開口が形成されている。このものには、天井開口を通して浴室から天井裏空間を視認することを防止するために、本体ケースの一端に本体ケースを取り囲むフランジを設け、フランジが天井開口を取り囲むように天井部に取り付けられる構成とされているものがある（例えば、特許文献１参照。）。
【０００３】
ところが、天井開口は、浴室と天井裏空間とを通じさせていることから、フランジと天井部との間を経て、かつ天井開口と本体ケースの間を通じて、浴室の湿気が天井裏空間に浸入する虞がある。このため、フランジの天井部に当接される面に、例えば、ゴムまたはスポンジ等で形成されたシール部材を設けることが考えられている。
【特許文献１】特開２００３−２９４２８９号公報（第２−７頁、第２図）
【発明の開示】
【発明が解決しようとする課題】
【０００４】
しかしながら、フランジにシール部材を設けることは、部品点数を増加させかつ組立工程を増加させるので、空調装置の製造コストが上昇してしまう。また、空調装置を廃棄する際に、フランジからシール部材を取り外す分別作業が必要となり、廃棄コストも上昇してしまう。
【０００５】
そこで、本発明の目的は、部品点数および組立工程の増加を招くことなく、室の壁部に取り付けられた際に壁部開口を密閉することができる空調装置を提供することにある。
【課題を解決するための手段】
【０００６】
上記した課題を解決するために、請求項１に記載の空調装置は、室の空気調節のための空気調節機構を収容する本体ケースと、前記室の一部を構成する壁部に設けられた壁部開口を取り囲むように前記壁部に面当接可能な平坦面を有し前記本体ケースの外方へ向けて突出するフランジとを備え、前記フランジを前記平坦面に直交する方向で見て該平坦面が位置する側を取付方向前側とし、前記フランジには、該フランジを含む前記本体ケースと同一材料で形成され、前記フランジの周縁部から前記平坦面と傾斜を為すように前記取付方向前側へ向けて立ち上がり、先端が前記平坦面よりも前記取付方向前側に位置しかつ立ち上がり基部が前記平坦面よりも取付方向後側に位置し、前記フランジの前記周縁部を連続的に取り囲む弾性変形が可能な封止周壁部分が一体的に設けられていることを特徴とする。
【０００７】
請求項２に記載の空調装置は、請求項１に記載の空調装置であって、前記封止周壁部分の先端は、前記取付方向で見て、後側に曲率中心を有する弧状であることを特徴とする。
【０００９】
請求項３に記載の空調装置は、請求項１または請求項２に記載の空調装置であって、前記本体ケースは、前記平坦面が前記壁部に面当接された状態で前記フランジが前記壁部に取り付けられて該壁部に設けられ、前記封止周壁部分は、前記平坦面が前記壁部に面当接されることに伴って、該壁部に当接しつつ該壁部に倣って弾性変形することを特徴とする。
【００１０】
請求項４に記載の建物は、請求項１ないし請求項３のいずれか１項に記載の空調装置を備えたことを特徴とする。
【発明の効果】
【００１１】
本発明に係る空調装置によれば、フランジの周縁部に弾性変形が可能な封止周壁部分が設けられているので、室の壁部とフランジの平坦面とが対向するように、本体ケースを壁部の壁部開口に嵌合させ、壁部に平坦面を面当接させて取り付けると、封止周壁部分のうち平坦面よりも取付方向前側に位置された個所が壁部に押圧されて壁部に倣って弾性変形する。このため、封止周壁部分がその弾性力により壁部に密接するので、フランジと壁部との間が封止される。この封止周壁部分は、壁部開口を取り囲む平坦面を有するフランジの周縁部を取り囲んでいるので、例えば、本発明に係る空調装置を浴室の天井部に形成された天井開口に取り付けると、浴室の湿気が天井開口を通じて天井裏空間に浸入することを防止することができる。また、封止周壁部分は、フランジと一体的に設けられていることから、部品点数および組立工程の増加を招くことはなく、製造コストの上昇を抑制することができる。さらに、封止周壁部分は、フランジと一体的に設けられるものであることから、同一材料を用いた一体的な形成物とすることが容易であり、同一材料から形成すると空調装置を廃棄する際の分別作業をなくすことができる。
【発明を実施するための最良の形態】
【００１２】
本発明を図１ないし図９に示した各実施例に沿って詳細に説明する。
【実施例１】
【００１３】
図１は、本発明の空調装置１０を備えた建物１１を模式的に示す断面図であり、浴室１２の周辺を拡大して示している。図２は、空調装置１０を模式的に示す斜視図である。
【００１４】
空調装置１０は、図１に示すように、実施例１では、浴室用空調装置であり、浴室１２の天井部１３に設けられている。天井部１３には、浴室１２に開放する天井開口１４が設けられており、空調装置１０は、後述する本体ケース１５の下部が天井開口１４から浴室１２に露出するように設置されている。
【００１５】
浴室１２は、浴槽１６と洗い場１７とランドリパイプ１８とが設けられた閉鎖空間であり、開閉自在な浴室ドア１９を経て洗面所（脱衣所）２０との出入りが可能とされている。浴室ドア１９には、その下部に空気取入口２１が形成されており、浴室ドア１９が閉ざされている際の洗面所（脱衣所）２０から浴室１２への空気の通路とされている。ランドリパイプ１８は、浴室１２の天井部１３の近傍で、浴室１２を掛け渡すように設けられた棒体であり、例えば洗濯物等を掛けることができる。
【００１６】
図３は、空調装置１０を上方から見た上面図であり、図４は、図３に示したＩ−Ｉ線に沿って得られた断面図である。
【００１７】
空調装置１０は、図２に示すように、全体に直方体形状を呈する本体ケース１５と、フロントパネル２２とを有する。本体ケース１５は、図４に示すように、樹脂ケース部２３と、金属ケース部２４とを有する。
【００１８】
樹脂ケース部２３は、後述する空気調節機構２５を収容する一端開放の箱体であり、天井開口１４に嵌合可能な大きさ寸法に設定されており、開放端部にフランジ２６が設けられている。フランジ２６は、本体ケース１５の外方へ向けて天井部１３に沿って突出し、樹脂ケース部２３の開放端部を取り囲んでおり（図３参照。）、上側に平坦面２７が設けられている。フランジ２６は、天井開口１４を取り囲むことができる大きさ寸法に設定されている。平坦面２７は、同一平面内で樹脂ケース部２３を取り囲むように形成されており、後述するように取り付けのために天井部１３に面で当接される。金属ケース部２４は、フランジ２６を除く樹脂ケース部２３を覆う一端開放の箱体であり、金属材料で形成されている。
【００１９】
本体ケース１５の側壁には、排出口２８が設けられている。排出口２８は、本体ケース１５の側壁を貫通する貫通孔であり、全体に筒形状を呈するジョイントノズル２９が取り付けられている。このジョイントノズル２９には、排出ダクト３０（図１参照。）が接続され、排出ダクト３０は、建物１１の外部に通じている。
【００２０】
本体ケース１５は、浴室１２側から天井開口１４に嵌合され、かつフランジ２６が天井部１３に取り付けられて天井部１３に設置される。この本体ケース１５の底面には、浴室１２側からフロントパネル２２が取り付けられる。
【００２１】
フロントパネル２２は、全体に板形状を呈し、本体ケース１５の底面を覆いかつ本体ケース１５のフランジ２６を取り囲むように（図２参照。）設けられており、浴室１２の使用者が本体ケース１５の内部に触れることを防止している。フロントパネル２２には、空気の通過を許す取込口３１と吹出口３２とが設けられている。取込口３１は、後述する取込風路Ｏの浴室１２への開口個所であり、吹出口３２は、後述する吹出風路Ｐの浴室１２への開口個所である。取込口３１には、空気の通過を許し塵埃を捕獲するフィルタ３３が取り付けられており、浴室１２から交換可能とされている。
【００２２】
本体ケース１５の樹脂ケース部２３には、制御装置（図示せず。）により駆動が制御される空気調節機構２５が収容されている。制御装置（図示せず。）は、電源（図示せず。）および操作部３４（図１参照。）が電気的に接続されている。操作部３４は、洗面所（脱衣所）２０に設けられており、後述するように、各運転モードを選択する入力操作が可能とされている。なお、操作部３４は、防水構造を備えたものを浴室１２内に設けてもよい。
【００２３】
空気調節機構２５は、ファン３５と、ファン３５の駆動源となるモータ３６（電動機）と、ファン３５を収容し風路の一部を規定するファンケース３７とを有する。
【００２４】
ファン３５は、取込口３１に臨む位置すなわち取込口３１の上方に設けられており、天井部１３に直交する回転軸線を有する。ファン３５は、円筒形状の周面に羽が設けられたシロッコファンであり、回転駆動されると端面から空気を取り込み（矢印Ｏ参照。）、取り込んだ空気を周面から送出する（矢印Ｐおよび矢印Ｑ参照。）。ファン３５は、モータ３６から付与される回転駆動力により回転駆動する。
【００２５】
モータ３６は、ファン３５の上方に配置され、本体ケース１５に取り付けられている。モータ３６は、制御装置および電源（図示せず。）と電気的に接続されており、天井部１３に直交する回転軸３８を有する。
【００２６】
回転軸３８は、モータ３６に回転可能に支持され、モータ３６の回転駆動力が伝達される出力軸であり、ファン３５が取り付けられている。このファン３５は、回転軸３８を介してモータ３６から付与された回転駆動力によりファンケース３７の内方で回転駆動される。
【００２７】
ファンケース３７は、間隔を置いてファン３５を取り囲む一端開放（３９）の円筒形状を呈しており、排出口２８側の周壁に周壁開口４０が形成されている。ファンケース３７は、樹脂ケース部２３と協働して空気調節機構２５内で風路を構成し、ファン３５の周面から送出された空気を排出口２８側へと導く。ファンケース３７の開放端３９は、取込口３１に臨むように下方に設けられており、ベルマウスが形成されている。
【００２８】
本体ケース１５の底部には、吹出口３２に臨む位置に吹出接続口４１（図４参照。）が形成されており、吹出接続口４１には、ヒータ４２が設けられている。ヒータ４２は、電力の供給を受けると周囲に熱を伝達可能な加熱手段である。
【００２９】
ファン３５は、モータ３６から回転駆動力が付与されて回転駆動すると、取込口３１およびファンケース３７の各開放端３９を経て浴室１２の空気を取り込み（矢印Ｏ参照。）、周面から送出する。この送出された空気は、ファンケース３７により本体ケース１５の内方で排出口２８側へと導かれ、排出口２８および吹出口３２へ向かう（矢印Ｑおよび矢印Ｐ参照。）。このため、取込口３１からファンケース３７内のファン３５に至る個所が取込風路Ｏとなり、ファンケース３７内においてファン３５から排出口２８に至る個所が排出風路Ｑとなり、ファンケース３７内においてファン３５から吹出口３２至る個所が吹出風路Ｐとなる。ファンケース３７に導かれた空気が排出風路Ｑおよび吹出風路Ｐを通過する量を調節するためにダンパ４３が設けられている。
【００３０】
ダンパ４３は、アーム部４４と支持部４５とを有し、カム機構４６により動作可能とされ、樹脂ケース部２３内に設けられている。アーム部４４は、樹脂ケース部２３の内壁面に摺動可能に当接する板部材であり、支持部４５により回動自在に支持されている。カム機構４６は、アーム部４４に設けられたカム溝板４７と、ファンケース３７に設けられた回転板４８とを有し、回転板４８の外周近傍に設けられたカムピン４９がカム溝板４７に設けられたカム溝５０に係合されている。回転板４８は、前述した制御装置（図示せず。）により駆動制御されており、アーム部４４の姿勢を変位させる。
【００３１】
アーム部４４が、ファンケース３７の下部３７ａと当接した下方姿勢（図８参照。）とされると、取込風路Ｏと排出風路Ｑとが連通した状態となり、取込口３１から取り入れられた空気は排出口２８へと導かれ、排出ダクト３０（図１参照。）を経て建物１１の外部へと排出される。アーム部４４が、ファンケース３７の上部３７ｂと当接した上方姿勢（図９参照。）とされると、取込風路Ｏと吹出風路Ｐとが連通した状態となり、取込口３１から取り入れられた空気は吹出口３２へと導かれ、浴室１２に吹き出される。
【００３２】
本発明に係る空調装置１０では、フランジ２６の周縁部５１に封止周壁部分５２が設けられている。封止周壁部分５２は、フランジ２６と一体的に成形されており、周縁部５１から立ち上がりかつ周縁部５１を連続的に取り囲むように設定されている（図３および図４参照。）。
【００３３】
ここで、図５は、図３に示したII−II線に沿って得られた破断面を含む部分的な斜視図であり、図６は、図３に示したII−II線に沿って得られた断面図である。
【００３４】
封止周壁部分５２は、図６に示すように、フランジ２６の周縁部５１において、平坦面２７よりも下方に立上基部５３が設定されている。封止周壁部分５２は、立上基部５３から斜め上方、すなわちフランジ２６を平坦面２７と直交する方向（上下方向）で見たとき、平坦面２７が設定されている側へ向けて延在されており、平坦面２７と傾斜を為している。封止周壁部分５２は、上下方向で見ると、平坦面２７よりも上方に延在端部５４（先端）が位置されており、延在端部５４は、下方に曲率中心を有する弧状とされている。
【００３５】
本実施例では、フランジ２６および封止周壁部分５２を含む樹脂ケース部２３は、ＡＢＳ（アクリルニトリル−ブタジエン−スチレン強重合樹脂）から形成されており、弾性変形が可能とされている。なお、樹脂ケース部２３は、後述するように本体ケース１５が天井部１３に取り付けられることにより弾性変形するものであれば、例えば、ＰＰ（ポリプロピレン）で構成されていてもよく、本実施例に限定されるものではない。
【００３６】
空調装置１０は、前述したように、本体ケース１５が浴室１２側から天井開口１４に嵌合され、かつフランジ２６が天井部１３に取り付けられることにより、天井部１３に設置される。この際、フランジ２６は、図７に示すように、その平坦面２７が天井部１３に面で当接される。すると、封止周壁部分５２は、その延在端部５４が平坦面２７よりも上方に位置されているので、相対的に天井部１３に押圧されて弾性変形し、天井部１３に倣い、その弾性力により天井部１３に密着する。これにより、天井部１３とフランジ２６との間は、天井開口１４を取り巻くように密閉されることとなり、本体ケース１５と天井開口１４との間を通じて、天井部１３の上方の空間すなわち天井裏空間５５と浴室１２とを連通する経路は封止される。このように、本実施例では、フランジ２６の上側に平坦面２７が設けられ、この平坦面２７が天井部１３と対向するように天井部１３に取り付けられるので、上下方向で見た上側が取付方向前側となる。なお、取付方向前側は、フランジ２６を平坦面２７に直交する方向で見て、平坦面２７が設けられた側であり、本実施例のように、上側に限定されるものではない。
【００３７】
なお、封止周壁部分５２の立上基部５３は、平坦面２７と等しい位置とされていてもよいが、封止周壁部分５２が弾性変形する際に立上基部５３が弾性限界を超えておれ曲がることを防止する観点から平坦面２７よりも下方に位置されていることが望ましく、本実施例のようにＡＢＳを材料とした場合、好適には、封止周壁部分５２の立上基部５３の上面と平坦面２７との寸法Ｌｖが１ｍｍ前後である。
【００３８】
また、封止周壁部分５２の厚さ寸法Ｔは、ＡＢＳを材料とした場合、１ｍｍ以下であることが望ましい。
【００３９】
さらに、平坦面２７と直交する方向（上下方向）を基準とした封止周壁部分５２の傾斜θは、３０°〜８０°であることが望ましく、好適には６０°である。
【００４０】
空調装置１０は、図１に示すように、浴室１２に設けられた操作部３４に入力された操作に応じて、モータ３６を駆動させ、ダンパ４３およびヒータ４２等を適宜調節する。
【００４１】
空調装置１０は、操作部３４の操作によって、運転モードの１つである換気モードが選択されると、ダンパ４３を下方姿勢として排出風路Ｑを開放し（図８参照。）、浴室１２の空気をファン３５の吸引力で取り込み（矢印Ａ参照。）、ファンケース３７内の排出風路Ｑを通過させて建物１１の外部に排出する（矢印Ｂ参照。）。この際、浴室１２は、空気が外部へ排出されて負圧となり、浴室ドア１９の空気取入口２１を経て洗面所（脱衣所）２０の空気が浴室１２へと流入するので（矢印Ｃ参照。）、浴室１２が換気される。
【００４２】
また、空調装置１０は、操作部３４の操作により暖房モードが選択されると、ダンパ４３を上方姿勢として吹出風路Ｐを開放し（図９参照。）かつヒータ４２を通電させて、浴室１２の空気をファン３５の吸引力で取り込み（矢印Ａ参照。）、取り込んだ浴室１２の空気をファンケース３７内の吹出風路Ｐを通過させかつヒータ４２で暖めて吹出口３２から浴室１２に吹き出す（矢印Ｄ参照。）。これにより、入浴前に浴室内を暖める予備暖房として空調装置１０を機能させることが可能となる。
【００４３】
さらに、空調装置１０は、予備暖房だけでなく、入浴中の暖房として利用することができる。入浴中の暖房を行う場合には、入浴暖房モードを新たに設け、吹出口３２にルーバを設けることにより、入浴者に直接風が当たらないように洗い場以外の方向に風の吹出方向を向けることが望ましい。また、入浴暖房では、予備暖房よりもモータ３６の回転数を低回転にして吹出口３２から吹き出される温風量を少なくしてもよい。
【００４４】
空調装置１０は、操作部３４の操作により衣類乾燥モードが選択されると、ダンパ４３を中間姿勢（図４参照。）として排出風路Ｑおよび吹出風路Ｐを開放しかつヒータ４２を通電させて、取込口３１を経て取り込んだ浴室１２の空気を暖めて吹出口３２から浴室１２内に吹き出す（矢印Ｄ参照。）とともに、浴室１２の空気を排出口２８から建物１１の外部に排出する（矢印Ｂ参照。）循環換気を行うことができる。この循環換気によって浴室で、例えば、ランドリパイプ１８に掛けた衣類の乾燥等を行うことが可能となる。
【００４５】
空調装置１０は、操作部３４の操作により涼風モードが選択されると、ヒータ４２を通電させない状態で上述した乾燥モードの動作を行い、浴室１２を循環換気することができる。この循環換気によって、夏場のような暑さを感じる際に扇風機として利用することができる。
【００４６】
空調装置１０では、衣類乾燥モードとは別に浴室乾燥モードを設け、ファン３５を駆動させ、かつダンパ４３を中間姿勢（図４参照。）とし、浴室１２から取り込んだ空気を浴室１２に吹き出すと共に建物１１の外部に排出して、浴室１２の壁面及び床面を乾燥させるようにしてもよい。
【００４７】
また、乾燥、換気、涼風の浴室１２を換気する機能がある運転モードでは、建物１１の外部へ排出する空気の量と、浴室１２へ送出する空気の量とを調整するために、ダンパ４３の回動姿勢を上記した３段階ではなく、排出風路Ｑと吹出風路Ｐとの開度調整を行えるような構成としても良い。
【００４８】
本発明に係る空調装置１０では、フランジ２６の周縁部５１に弾性変形が可能な封止周壁部分５２が設けられており、浴室１２の天井部１３とフランジ２６の平坦面２７とが対向するように、本体ケース１５を天井部１３の天井開口１４に嵌合され、天井部１３に平坦面２７を面当接されることにより、封止周壁部分５２のうち平坦面２７よりも取付方向前側に位置された個所が天井部１３に押圧されて天井部１３に倣って弾性変形する。これにより、天井部１３と封止周壁部分５２とが密接されるので、フランジ２６と天井部１３との間を封止することができる。
【００４９】
また、封止周壁部分５２は、フランジ２６と一体的に設けられていることから、部品点数および組立工程の増加を招くことはなく、製造コストの上昇を抑制することができる。
【００５０】
さらに、封止周壁部分５２は、フランジ２６を含む樹脂ケース部２３と同一材料（本実施例ではＡＢＳ）で形成されていることから、空調装置１０を廃棄する際の分別作業を生じさせることがない。
【００５１】
したがって、本発明に係る空調装置１０では、部品点数および組立工程の増加を招くことなく、天井部１３に取り付けられた際に天井開口１４を密閉することができる。
【００５２】
なお、上記した実施例では、空調装置１０は、浴室１２に設けられていたが、建物１１の内部に形成された室であれば、例えば、居室および化粧室等の室であっても空気の循環および換気を行うために用いることができ、上記した実施例に限定されるものではない。
【００５３】
また、上記した実施例では、空調装置１０は、浴室１２の天井部１３に設けられた天井開口１４に設けられていたが、空気調節を行う室の一部を構成する壁部に設けられた壁部開口であっても、この壁部開口を経て室とその外部とが連通することを防止することができ、上記した実施例に限定されるものではない。
【００５４】
上記した実施例では、フランジ２６の周縁部５１に設けられた封止周壁部分５２は、斜め上方に向けて延在されていたが、フランジ２６の平坦面２７と直交する方向で見たとき、平坦面２７が位置される側に延在していれば、例えば、平坦面２７がフランジ２６の下方に設定されている場合には斜め下方に向けて延在していればよく、上記した実施例に限定されるものではない。
【００５５】
さらに、上記した実施例では、フランジ２６は、本体ケース１５の開放端すなわち樹脂ケース部２３の開放端に設けられていたが、天井部１３への取り付けのための平坦面を規定するものであることから、本体ケース１５を同一平面上で取り囲む平坦部を有するものであればよく、上記した実施例に限定されるものではない。
【００５６】
上記した実施例では、本体ケース１５が浴室２１側から天井開口に嵌合されかつフランジ２６の上側に設定された平坦面２７が天井部１３に面で当接される構成とされていたが、例えば、平坦面２７がフランジ２６の下側に設定されて天井裏空間５５側から天井部１３に面で当接される構成であってもよく、上記した実施例に限定されるものではない。
【図面の簡単な説明】
【００５７】
【図１】本発明に係る空調装置が採用された建物を部分的に示す模式的な断面図である。
【図２】本発明に係る空調装置を示す模式的な斜視図である。
【図３】本発明に係る空調装置を上方から見た上面図である。
【図４】図３に示すＩ−Ｉ線に沿って得られた断面図である。
【図５】図３に示すII−II線に沿って得られた断面を含む部分的な斜視図である。
【図６】図３に示すII−II線に沿って得られた断面図である。
【図７】図６と同様の断面図であり、フランジの平坦面が天井部に面で当接され、封止周壁部分が弾性変形した状態を示すための模式的な図である。
【図８】図４と同様の断面図であり、ダンパが下方姿勢とされた状態を示している。
【図９】図４と同様の断面図であり、ダンパが上方姿勢とされた状態を示している。
【符号の説明】
【００５８】
１０  空調装置
１１  建物
１２  （室としての）浴室
１３  （室の一部を構成する壁部としての）天井部
１４  （壁部に設けられた壁部開口としての）天井開口
１５  本体ケース
２５  空気調節機構
２６  フランジ
２７  平坦面
５１  周壁部
５２  封止周壁部分
５３  立上基部
【図１】
0004816000.tif 000002
【図２】
0004816000.tif 000003
【図３】
0004816000.tif 000004
【図４】
0004816000.tif 000005
【図５】
0004816000.tif 000006
【図６】
0004816000.tif 000007
【図７】
0004816000.tif 000008
【図８】
0004816000.tif 000009
【図９】
0004816000.tif 000010